(57)【要約】    【課題】  本発明は、清涼飲料水などが充填されたボトル等のボトル容器に取り付けられるキャップであって、キャップの開栓後に、開栓済であることが一見して識別可能となるボトル容器とすることによって、スーパーやコンビニエンスストアで販売されるボトル飲料水に対して、毒物等を混入した商品の陳列を容易に見極められるようにするとともに、リサイクル容易なキャップを提供するものである。    【解決手段】本発明は、ボトル容器のキャップと、キャップの下端に破断可能な連結片を介して設けられた環状体を備え、該環状体の径は、該環状体が設けられたボトル容器口部の下方に対して、該ボトル容器口部の径よりも広くすることによって、キャップの開栓によりキャップと環状体が分離した際には、該ボトル容器の上端部まで該環状体が落下することを特徴とするボトルキャップ構造を特徴とする。【選択図】    図２
2009280236.tif 000002
【特許請求の範囲】
【請求項１】
ボトル容器本体と、該ボトル容器の口部に取り付けられるキャップと、前記キャップの開封時に破断可能な連結片を介して前記キャップの下端に設けられた不正開封防止リングとを備え、該不正開封防止リングの内径は、前記ボトル容器の口部下方部の外径よりも広く構成され、前記キャップの開封により該キャップと前記不正開封防止リングが分離した際には、前記ボトル容器本体の傾斜肩部の上端まで該不正開封防止リングが落下することを特徴とするボトル容器。
【請求項２】
請求項１に記載のボトル容器において、未開封時に前記不正開封防止リングよって被覆されている前記ボトル容器の口部外周の色が、該不正開封防止リングの外周の色とは異なる色彩であることを特徴とするボトル容器。
【請求項３】
請求項１または２に記載のボトル容器において、前記不正開封防止リングの内径と前記ボトル容器の口部下方部の外径との差を、該不正開封防止リングを切断する工具の先端が挿入される値とすることを特徴とするボトル容器。
【発明の詳細な説明】
【技術分野】
【０００１】
本発明は、清涼飲料水などが充填されたボトル等のボトル容器に関し、特にキャップの開栓後に、開栓済であることが一見して識別可能となるボトル容器に関する。
【背景技術】
【０００２】
スーパーやコンビニエンスストアなどで販売する清涼飲料水のボトル容器は、通常は特定の販売コーナーにおいて、冷凍ショーケース等の陳列棚に展示されて販売されており、購入者が陳列棚より自由に持ち出してレジにて購入する。
このようなボトル容器のキャップの下端部には、不正開封表示機能（タンパーエビデンスまたはピルファープルーフと呼ばれる）を持たせるために、破断可能な連結片を介して不正開封防止リング（TEリング）が設けられており、キャップの開封時はキャップに加えた捻り力により連結片を破断して開栓するように構成されている（例えば、特許文献１〜４参照）。
このような従来の不正開封表示機能は、連結片の破断の痕跡により開封の有無の識別を行なうものであった。即ち、消費者に渡る前に内容物の詰替え或いは毒物の添加等の不正行為を検知可能にするために、キャップを逆螺動して連結片を破断しなければ開封し得ない構成として、この連結片の破断の痕跡の有無により開封を識別するものであった。
【特許文献１】特開平１１−３５０５５号公報
【特許文献２】特開２０００−２９６８６３号公報
【特許文献３】特開２００１−３２２６５６号公報
【特許文献４】特開２００４−１１５１２７号公報
【発明の開示】
【発明が解決しようとする課題】
【０００３】
しかしながら、上記の従来技術では、キャップをボトル容器に螺合締着した時に不正開封防止リングの下端が容器のリブに接するように構成されている。このため、キャップをボトル容器に螺合締着している時は、キャップと不正開封防止リングが密着して接触しているため、開封後に再びキャップをボトル容器に螺合締着した場合には、開封前か否かの識別は一見して行うことは困難であった。
また、キャップとリブとの間の間隔を不正開封防止リングの幅よりも若干広めにとることによって、キャップの開封により不正開封防止リングが下がることはあっても、リブで係止される従来製品にあっては、開封後であっても封止時のキャップと不正開封防止リングとの間隔は殆ど開封前の位置関係と変わらないため、開封前後の識別は依然として困難であった。
このため、毒物を混入された飲料ボトルがスーパーの展示棚に混入され、飲んだ購入者が、誤って飲んでしまったという社会事件も発生するに至っている。
また、かりに不正開封防止リングが開封前の定位置より下がる製品があった場合であっても、それを数十個ある陳列棚商品から店員が識別して検知することも事実上難しいため、前述したような社会事件の発生を完全に防ぐことは困難を伴った。
【０００４】
これを防止するためには、連結片の強度を高めて連結片の破断に力を必要とするように構成し、力を入れずに開封できた場合には、既に開封後であったと識別できるようにすることも考えられるが、子供や女性のような握力の弱い人にとって開封し難くなるという新たな問題が生じる。
一方、資源保護のために、ペットボトルに代表されるボトル容器の回収・リサイクルが各自治体行なわれるようになってきている。その際、キャップはリサイクルの対象とはならない材料で構成されることが多いため、キャップを取外した状態でボトル容器の回収は行なわれている。しかし、キャップをボトル容器から取外したとしても、キャップと同じ材料で製造される不正開封防止リングはボトル容器に取り残された状態であるため、リサイクル時にはボトル容器から分離する必要がある。
不正開封防止リングをボトル容器から容易に取外し可能とするために、不正開封防止リングの一部を切断しておくことも考えられているが、その場合には、切断部分を広げて連結片を破断させることなくキャップを緩め、異物をボトル容器内に混入させることも可能となり、不正開封表示機能が低下するという問題が生じる。また、特別な用具を用いたり、特許文献４に記載されているように複雑な構成を用いることも考えられるが、特別な用具を用いる場合には購入者にボトル容器と不正開封防止リングの分別を行なわせるために特別な用具を配布しなければ成らず、また複雑な構成は資源及びコストがかかるという問題がある。
【０００５】
本発明は上記に鑑み、簡単な構成にてボトル容器の開封を一見して識別可能とすること、不正開封表示機能を損なうことなくリサイクルを可能としたボトル容器を提供することにある。
【課題を解決するための手段】
【０００６】
上記課題を解決すために、本発明は、ボトル容器本体と、ボトル容器の口部に取り付けられるキャップと、キャップの開封時に破断可能な連結片を介してキャップの下端に設けられた不正開封防止リングとを備え、不正開封防止リングの内径は、上記ボトル容器の口部下方部の外径よりも広く構成され、キャップの開封によりキャップと記不正開封防止リングが分離した際には、ボトル容器本体の傾斜肩部の上端まで不正開封防止リングが落下することを特徴とする。
また、上記の発明において、未開封時に前記不正開封防止リングよって被覆されているボトル容器の口部外周の色が、不正開封防止リングの外周の色とは異なる色彩であることを特徴とする。
さらに、上記の発明において、不正開封防止リングの内径とボトル容器の口部下方部の外径との差を、不正開封防止リングを切断する工具の先端が挿入される値とすることを特徴とする
【発明の効果】
【０００７】
本発明に係るボトル容器によれば、不正開封防止リングが、ボトル容器本体の傾斜肩部まで落ちるのでキャップの開封の有無が容易に識別可能であるため、店舗ショーケース内に多数陳列されている商品のなかから一見して開封済の商品が紛れ込んでいた場合に選別することができ、開封したボトル容器に故意に人的有害物を入れた後に商品棚に戻すような行為が行われた場合であっても、購入者は気付かずに購入し飲んでしまうといった危険性を最小限にすることができる。
また、ボトル容器のキャップ開封前に不正開封防止リングによって被覆されているボトル容器の口部外周の色に、不正開封防止リングの外周の色とは異なる色彩を施すことにより、もし不正開封防止リングが取り外された場合であっても、口部の色が異なることで開封後であることを容易に認識できる効果もある。
さらに、不正開封防止リングがボトル容器と異なる材質からなる場合にあっては、廃棄物の分離回収を容易にする効果もある。
【発明を実施するための最良の形態】
【０００８】
以下、本発明を実施するための最良の形態を図面に示す実施例に基づいて説明する。
図１は、本発明に係るボトル容器のキャップの閉封状態の一実施例を示す説明図である。図２は、本発明の開封状態の一実施例を示す説明図である。図３は、本発明の別の実施例の開封状態を示す説明図である。
図１に示すように、本発明に係るボトル容器本体１上に設けられたキャップ２は、キャップ２の下端に破断可能な連結片４を介して設けられた不正開封防止リング３を備えている。このキャップ２は、閉封時は、ボトル容器１の口部５の外周に設けられた雄螺子とキャップ２の内周に設けられた雌螺子とで螺合締着されている。
開封前において不正開封防止リング３は、不正開封防止リング３の内周に設けられた突起と対応する口部５の突起が係合するように固定され、キャップ２の開封時における回転方向に対して、不正開封防止リング２が同期して回転することを押し止めるように設けられている。
このキャップ２の開栓時は、図２に示すように、キャップ２に対する回転力と、口部５に圧着固定された不正開封防止リング３の掛止力により、連結片４は切断され、キャップ２から切り離されたら不正開封防止リング３は、従来製品には存在するリブがないため、不正開封防止リング３の径よりも細い口部５の下方向に落下して、ボトル容器１の傾斜肩部６の上端で係止する。
【０００９】
この不正開封防止リング３の径は、口部５の径よりも大きく、前記ボトル容器の口部下方部の外径との差は、一般家庭で所有しているハサミ等の工具の先端が挿入できる間隙とする。このような構成とすることにより、購入者が不正開封防止リング３を切断してボトル容器のみをリサイクルに出せるようになり、一層の分別回収が可能となる。
また、本発明の別の実施例では、図３に示すように、不正開封防止リング３の外周とは異なる色彩を不正開封防止リング３によって被覆されている口部５の一部に着色帯７を施されており、開栓の有無が色彩でより確実に識別できるようにしている。
なお、本実施例においては、口部の一部に着色を施したが、必ずしもそれに限られるものではなく、口部の色彩と開封前に口部を覆うことになるキャップと不正開封防止リングの色彩を異なるようにしてもよい。
【図面の簡単な説明】
【００１０】
【図１】本発明に係るボトル容器のキャップの閉栓状態の一実施例を示す説明図である。
【図２】本発明の開栓状態の一実施例を示す説明図である。
【図３】本発明の別の実施例の開栓状態を示す説明図である。
【符号の説明】
【００１１】
１        ボトル容器本体
２        キャップ
３        不正開封防止リング
４        連結片
５        口部
６        傾斜肩部
７        着色帯
【図１】
2009280236.tif 000003
【図２】
2009280236.tif 000004
【図３】
2009280236.tif 000005